(57)【要約】【課題】深夜電力の時間帯を除く時間帯における商用電力系統からの電気の使用量をより一層少なく抑えることができる深夜電力利用の蓄電システムを提供する。【解決手段】深夜電力で蓄電される蓄電池が複数の戸にそれぞれ備えられ、深夜電力の時間帯を除く時間帯において、負荷需要の小さい戸の蓄電池から、負荷需要の大きい戸に電気が供給されるようになされている。【選択図】      図１
2006074877.tif 000002
【特許請求の範囲】
【請求項１】
深夜電力で蓄電される蓄電池が複数の戸にそれぞれ備えられ、深夜電力の時間帯を除く時間帯において、負荷需要の小さい戸の蓄電池から、負荷需要の大きい戸に電気が供給されるようになされていることを特徴とする蓄電ネットワークシステム。
【発明の詳細な説明】
【技術分野】
【０００１】
本発明は、蓄電ネットワークシステムに関する。
【背景技術】
【０００２】
商用電力系統からの昼間の電気の使用量を少なくする目的で、住宅等において、深夜電力を利用して蓄電池に蓄電し、蓄電した電気を、深夜電力の時間帯を除く時間帯において使用できるようにする蓄電設備の開発が、実用化に向けて進められている。
【発明の開示】
【発明が解決しようとする課題】
【０００３】
しかしながら、上記の蓄電設備は、各戸に備えられた蓄電池に蓄電した電気をその戸で放電して使用するものであるため、深夜電力の時間帯を除く時間帯において電気の使用量が多い戸では、蓄電池に蓄電された電気が使い果たされることがあり、商用電力系統からの電気の使用を減らそうとする時間帯において、商用電力系統からの電気が使用されてしまうという問題を生じる。
【０００４】
本発明は、上記のような問題点に鑑み、深夜電力の時間帯を除く時間帯における商用電力系統からの電気の使用量をより一層少なく抑えることができる深夜電力利用の蓄電システムを提供することを課題とする。
【課題を解決するための手段】
【０００５】
上記の課題において、種々調査をした結果、深夜電力の時間帯を除く時間帯において、上記のように、電気の使用量の多い戸がある一方で、電気の使用量が少ない戸もあり、使用量の少ない戸では、蓄電池の放電が充分になされず、蓄電池に蓄電された電気が無駄に余ってしまうことから、その余った電気を有効活用することで上記の課題を解決できることを見い出し、本発明を完成させた。
【０００６】
即ち、本発明は、深夜電力で蓄電される蓄電池が複数の戸にそれぞれ備えられ、深夜電力の時間帯を除く時間帯において、負荷需要の小さい戸の蓄電池から、負荷需要の大きい戸に電気が供給されるようになされていることを特徴とする蓄電ネットワークシステムを内容とする。
【０００７】
このネットワークシステムでは、深夜電力の時間帯を除く時間帯において、電気の使用量が多く、即ち負荷需要が大きく、その戸の蓄電池に蓄電された電気だけでは不足を生じるような場合に、負荷需要の小さい戸の蓄電池に蓄電された余っている電気が有効活用されて、負荷需要の大きい戸に供給されるようになされているので、深夜電力の時間帯を除く時間帯における商用電力系統からの電気の使用量をより一層少なく抑えることができる。
【発明の効果】
【０００８】
本発明は、以上のとおりのものであるから、深夜電力の時間帯を除く時間帯における商用電力系統からの電気の使用量をより一層少なく抑えることができる。
【発明を実施するための最良の形態】
【０００９】
次に、本発明の実施最良形態を図面に基づいて説明する。
【００１０】
図１に示す実施形態の蓄電ネットワークシステムは、図１（イ）に示すように、６つの戸Ａ，Ｂ，Ｃ，Ｄ，Ｅ，Ｆを蓄電ネットワークで結び付けたもので、各戸Ａ，Ｂ，Ｃ，Ｄ，Ｅ，Ｆには蓄電設備１…が備えられる共に、ネットワーク系統で結びつけられた各戸Ａ，Ｂ，Ｃ，Ｄ，Ｅ，Ｆの蓄電設備１…を統括して制御する統括制御部３が備えられている。
【００１１】
各蓄電設備１…には、図１（ロ）に示すように、蓄電池２と、インバーター４と、充放電制御装置５とが備えられ、充放電制御装置５によって、深夜電力の時間帯に蓄電池２に商用電力系統から電力が蓄電されるようにする制御と、蓄電池２に蓄電された電気がその戸の負荷６に放電されるようにする制御が行われるようになされている。
【００１２】
また、各戸Ａ，Ｂ，Ｃ，Ｄ，Ｅ，Ｆの充放電制御装置５…は、他の戸の蓄電池２に蓄電された電気が自分の戸の負荷６に供給されるようにする制御と、自分の戸の蓄電池２に蓄電された電気が他の戸の負荷６に供給されるようにする制御を行うことができるようになされている。
【００１３】
更に、各蓄電設備１には、蓄電池２の残存容量を検知するセンサー７と、蓄電池２への充電容量と蓄電池２からの放電容量を検知するセンサー８と、その戸の負荷需要量を検知するセンサー９とが備えられ、各センサー７，８，９によって検知された情報が信号で統括制御部３に送られるようになされている。また、各蓄電設備１には、その戸が在宅か不在かの情報を信号で統括制御部３に送る機器１０も備えられている。そして、各戸Ａ，Ｂ，Ｃ，Ｄ，Ｅ，Ｆの充放電制御装置５は、統括制御部３からの制御信号に基づいて制御を行うようになされている。
【００１４】
統括制御部３は、深夜電力の時間帯を除く時間帯において、負荷需要の小さい戸の蓄電池から、負荷需要の大きい戸に電気を供給する制御指令信号を、各戸Ａ，Ｂ，Ｃ，Ｄ，Ｅ，Ｆの充放電制御装置５…に送るものである。
【００１５】
具体的には、例えば、上記のセンサー７，９から送られてくる各戸Ａ，Ｂ，Ｃ，Ｄ，Ｅ，Ｆの蓄電池２の残存容量と負荷需要量とに基づいて、演算を行い、負荷需要の小さい戸と大きい戸を特定し、例えば、負荷需要の大きい戸がＡ，Ｂ，Ｃで、負荷需要の小さい戸がＤ，Ｅ，Ｆであって場合に、負荷需要の大きい戸Ａ，Ｂ，Ｃの充放電制御装置５に対しては、その戸Ａ，Ｂ，Ｃの負荷６…に、戸Ｄ，Ｅ，Ｆの蓄電池２に蓄電された電気が供給されるのを許容させる指令信号を送ると共に、負荷需要の小さい戸Ｄ，Ｅ，Ｆの充放電制御装置５に対しては、その戸Ｄ，Ｅ，Ｆの蓄電池２…に蓄電された電気が戸Ａ，Ｂ，Ｃの負荷６に供給されるのを許容させる指令信号を送る。
【００１６】
これにより、深夜電力の時間帯を除く時間帯において、負荷６の需要が大きく、蓄電池２に蓄電された電気だけでは不足を生じるような戸Ａ，Ｂ，Ｃに対して、負荷需要の小さい戸Ｄ，Ｅ，Ｆの蓄電池２…に蓄電された余っている電気が有効活用により供給されて、深夜電力の時間帯を除く時間帯における商用電力系統からの電気の使用量をより一層少なく抑えることができる。
【００１７】
また、本実施形態では、蓄電池２への充電容量と蓄電池２からの放電容量がセンサー８で検知されるようになされているので、センサー９で検知される負荷需要量との関係で、他の戸に供給した電力量と、他の戸から供給された電力量を特定することができ、料金負担の公平な設定が可能である。
【００１８】
以上に、本発明の実施形態を示したが、本発明はこれに限られるものではなく、発明思想を逸脱しない範囲で各種の変更が可能である。例えば、制御の中で、負荷需要の小さい戸を決定する具体的な方法に制限はなく、様々な基準に基づく方法が採用されてよい。また、上記の実施形態では、負荷需要の小さい戸の蓄電池２の電気が、負荷需要の大きい戸の負荷６に供給されるようになされているが、負荷需要の小さい戸の蓄電池２の電気が、負荷需要の大きい戸の蓄電池２に供給されるようになされているのもよい。また、本発明の蓄電ネットワークシステムは、マンション、アパート等の集合住宅における複数の戸を対象として用いられてもよいし、複数の戸建て住宅を対象として用いられてもよいし、制限はない。また、蓄電池に蓄電された電気の共有に伴う料金設定関係は、ネットワーク内で決裁されるようにしてもよいし、電力会社の参加のもとで決裁されるようにしてもよい。
【図面の簡単な説明】
【００１９】
【図１】図（イ）は実施形態の蓄電ネットワークシステムを示す説明図、図（ロ）は同システムの要部詳細説明図である。
【符号の説明】
【００２０】
１…蓄電設備
２…蓄電池
３…統括制御部
５…充放電制御装置
６…負荷
７，９…センサー
Ａ〜Ｆ…戸
【図１】
2006074877.tif 000003